(57)【特許請求の範囲】
【請求項１】
上部を開口させた口部を有し、その内側を内容物の収納空間とする容器本体と、該口部を取り囲む周壁を有し、該周壁を該口部に着脱自在にねじ止めさせて該容器本体の収納空間を閉鎖、保持するキャップとを備えるキャップ付き容器であって、
前記キャップは、前記周壁の開口端縁より垂下され該周壁と一体連結する環状体を有し、
前記口部は、前記環状体の内壁面に向けて突出して、その外周面が前記容器本体の軸線方向に沿って延在するネックリングを備え、
前記ネックリングの外周面に、前記環状体に向けて突出して該環状体の内周面に当接する上方凸部を設け、該環状体に、キャップの装着終了姿勢において該上方凸部よりも下方に位置し該ネックリングに向けて突出して該ネックリングの外周面に当接する下方凸部を設け、
前記上方凸部及び下方凸部は、何れも該環状体と該ネックリングとの相互間の隙間を閉鎖する環状凸部であり、
前記環状体は、前記上方凸部が前記環状体の内周面に当接し且つ前記下方凸部が前記ネックリングの外周面に当接する際、径方向外側に撓んで該上方凸部及び該下方凸部を対向する該内周面及び該外周面に押し当てるものであることを特徴とするキャップ付き容器。
【発明の詳細な説明】
【技術分野】
【０００１】
本発明は、例えば医薬品や食品等を収納する容器本体と、その容器本体の口部に着脱可能にねじ止めされて容器本体内側の収納空間を閉鎖するキャップとを備えるキャップ付き容器に関するものである。
【背景技術】
【０００２】
例えば錠剤やカプセル剤、シロップ剤等の医薬品や、これらに準じた形態の食品等を収納する容器本体は、埃や塵等の異物が容器本体内に入り込まないようにするために、例えば容器本体の口部の外側面とキャップの周壁の内側面にねじ部を形成して、キャップを容器本体にねじ込み保持させて、容器本体の収納空間を閉鎖するようにしている。
【０００３】
ところでこの種の容器は、キャップと容器本体との隙間から様々な要因によって異物が入り込むおそれがあり、従来から種々の技術が提案されてきた。このような技術としては、例えば特許文献１に示すように、キャップの内側にスカート状の弾性片を設け、弾性片と当接する外向きフランジを容器本体の口部に形成し、そのフランジの一部を更に外側に張り出させてキャップの緩みを防止しようとするものがある。
【０００４】
一方、容器本体はガラスや合成樹脂で構成され、キャップは合成樹脂で構成されているのが通常であり、加工や成型における製品形状のばらつきが避けられない。このため、キャップを最後まで締め込んで緩みが生じていない場合でも、ねじ部相互間に隙間が生じることがあり、この隙間から異物が入り込むおそれがあった。このため、容器本体及びキャップの製品形状のばらつきにかかわらず、容器本体内への異物の入り込みを確実に防止できるキャップ付き容器の出現が、切に望まれていた。
【先行技術文献】
【特許文献】
【０００５】
【特許文献１】実開昭５５−１１５９５９号公報
【発明の概要】
【発明が解決しようとする課題】
【０００６】
本発明の課題は、内容物を収納する収納空間を有する容器本体と、容器本体の口部に着脱可能にねじ止めされて容器本体内側の収納空間を閉鎖するキャップとを備えるキャップ付き容器に関し、容器本体及びキャップの製品形状のばらつきにかかわらず、容器本体内への異物の入り込みを確実に防止できる技術を提案するところにある。
【課題を解決するための手段】
【０００７】
本発明は、上部を開口させた口部を有し、その内側を内容物の収納空間とする容器本体と、該口部を取り囲む周壁を有し、該周壁を該口部に着脱自在にねじ止めさせて該容器本体の収納空間を閉鎖、保持するキャップとを備えるキャップ付き容器であって、
前記キャップは、前記周壁の開口端縁より垂下され該周壁と一体連結する環状体を有し、
前記口部は、前記環状体の内壁面に向けて突出して、その外周面が前記容器本体の軸線方向に沿って延在するネックリングを備え、
前記ネックリングの外周面に、前記環状体に向けて突出して該環状体の内周面に当接する上方凸部を設けるとともに、前記環状体に、キャップの装着終了姿勢において該上方凸部よりも下方に位置し該ネックリングに向けて突出して該ネックリングの外周面に当接する下方凸部を設け、
前記上方凸部及び下方凸部は、何れも該環状体と該ネックリングとの相互間の隙間を閉鎖する環状凸部であり、
前記環状体は、前記上方凸部が前記環状体の内周面に当接し且つ前記下方凸部が前記ネックリングの外周面に当接する際、径方向外側に撓んで該上方凸部及び該下方凸部を対向する該内周面及び該外周面に押し当てるものであることを特徴とするキャップ付き容器である。
【発明の効果】
【０００９】
本発明は、容器本体の口部に着脱自在にねじ止めされて容器本体の収納空間を閉鎖するキャップに、このキャップの周壁の開口端縁より垂下される環状体を一体連結し、容器本体の口部に、環状体の内壁面に向けて突出するネックリングを形成し、このネックリングに、環状体に向けて突出する上方凸部を設け、環状体に、キャップの装着終了姿勢において上方凸部よりも下方に位置するともにネックリングに向けて突出する下方凸部を設け、上方凸部及び下方凸部の少なくとも一方を、環状体とネックリングとの相互間の隙間を閉鎖する環状凸部としている。これにより、容器本体とキャップとのねじ部に隙間が生じる場合でも、環状凸部が、環状体及びネックリングの何れか一方に当接して、それら相互間の隙間を閉鎖することが可能となり、収納空間内への異物の侵入を防止することができる。しかも、キャップが装着完了姿勢となる際に、使用者にクリック感を体感させることが可能となり、使用者がキャップを最後までねじ込むことが期待できるので、キャップが閉めきられていないことに起因する異物の入り込みの発生も抑えることができる。
【００１０】
また、上方凸部及び下方凸部が、何れも環状凸部である場合は、環状体とネックリングとの相互間の隙間を、２カ所の凸部で閉鎖できるので、より確実に収納空間内への異物の侵入を防止することができる。
【図面の簡単な説明】
【００１１】
【図１】本発明に従うキャップ付き容器の側面図であって、一部を断面図で示すとともに、その要部を拡大して示す図である。
【発明を実施するための形態】
【００１２】
以下、図面を参照して、本発明をより具体的に説明する。
図１は、本発明に従うキャップ付き容器の側面図であって、一部を断面図で示すとともに、その要部を拡大して示す図である。なお図１は、容器本体にキャップを最後までねじ込んだ、キャップの装着完了姿勢を示している。
【００１３】
図１において、１は容器本体であり、２はキャップである。図示の例で容器本体１は、底部付きの胴部１ａに、肩部１ｂを介して円筒状の口部１ｃを連結したものであり、容器本体１の内側に内容物を収納する収納空間Ｍを形成している。容器本体１の材料は、例えば合成樹脂の他、ガラスを用いることもできる。なお、以下の説明で上方とは、容器本体１の底部から口部１ｃに向かう方向をいい、下方とは、これと逆方向をいう。
【００１４】
容器本体１の口部１ｃには、図１の拡大図に示すように、その外壁面にねじ係合部ｎ１が設けられている。またねじ係合部ｎ１よりも容器本体１の底部側には、環状となるネックリング１ｄが形成されている。また、ネックリング１ｄの径方向外側の外周面は、容器本体１の軸線方向に沿う円筒状のリング外周壁１ｄ１となっていて、リング外周壁１ｄ１の中間部に径方向外側に向けて突出する上方凸部１ｄ２が形成されている。ここで、上方凸部１ｄ２は、周方向に沿って環状となる環状凸部でも良いし、周方向に沿って間欠的に配設される（環状凸部が周方向に分断されている形状）間欠凸部でも良いが、この上方凸部１ｄ２及び後述するキャップの環状体に設けられる下方凸部の少なくとも一方は、環状凸部となっている。
【００１５】
キャップ２は、口部１ｃの頂部を覆う円板状の天面壁２ａと、この天面壁２ａの縁部から容器本体１の口部を取り囲んで垂下される環状の周壁２ｂとを備えている。キャップ２の材料は、一般的には合成樹脂が用いられている。
【００１６】
周壁２ｂの内壁面には、容器本体１のねじ係合部ｎ１に対応するねじ係合部ｎ２が形成されている。また周壁２ｂの外壁面には、容器本体１の軸線方向に沿って延在する凸と凹とを周方向に沿って交互に配設した指がかり部Ｈ（ローレット）が形成されている。そして、周壁２ｂの開口端縁２ｂ１には、周壁２ｂよりも薄肉となる環状体２ｃが一体連結されている。
【００１７】
ここで環状体２ｃの内壁面２ｃ１には、下方凸部２ｃ２が形成されている。ここで、下方凸部２ｃ２は、環状凸部でも良いし間欠凸部でも良いが、前述したように、上方凸部１ｄ２及び下方凸部２ｃ２の少なくとも一方は、環状凸部となっている。この下方凸部２ｃ２は、リング外周壁１ｄ１のうち、上方凸部１ｄ２よりも下方に位置する部位に向けて突出している。リング外周壁１ｄ１の外径に対し、下方凸部２ｃ２の頂部の内径はわずかに小さくなっているので、両者は全周に亘って隙間なく当接している。一方、ネックリング１ｄに設けた上方凸部１ｄ２の頂部の外径は、環状体２ｃの内壁面２ｃ１の内径に対しわずかに大きくなっているので、この両者も全周に亘って隙間なく当接している。
【００１８】
さらに、天面壁２ａの裏面には、口部１ｃの頂壁１ｃ１に向けて突出する凸部２ａ１が設けられていて、キャップの装着完了姿勢においては、両者は全周に亘って隙間なく当接している。加えて、天面壁２ａの裏面には、凸部２ａ１よりも径方向内側から垂下される環状のリブ２ｄが設けられていて、リブ２ｄの先端部２ｄ１は、径方向内側に向けて屈曲して設けられている。環状のリブ２ｄの外径は、口部１ｃの内壁面１ｃ２の内径よりもわずかに大きくなっているので、ここでも両者は全周に亘って隙間なく当接している。
【００１９】
上記のような構成となるキャップ付き容器において、キャップ２を容器本体１に対して所要の方向（例えば時計回り）に回転させると、ねじ係合部ｎ１とねじ係合部ｎ２とが係合して、キャップ２がねじ込まれる。ここで、ネックリング１ｄの上方凸部１ｄ２及び環状体２ｃの下方凸部２ｃ２のうち、少なくとも一方は環状凸部であるので、対向する内壁面２ｃ１又はリング外周壁１ｄ１に対して隙間なく当接して、相互間の隙間を閉鎖することができる。これにより、ねじ係合部ｎ１、ｎ２を形成する際に不可避となる、製品形状のばらつきから生じる隙間にかかわらず、容器本体１の収納空間Ｍを密閉することができる。
【００２０】
また、環状体２ｃは薄肉であって径方向外側に撓むことができるので、ネックリング１ｄの上方凸部１ｄ２又は環状体２ｃの下方凸部２ｃ２のうち、環状凸部である方の突設量を増やして、対向する面により強く当てることで、確実に容器本体１の収納空間Ｍを密閉することができる。
【００２１】
ここで、キャップ２がねじ込まれてキャップの装着完了姿勢となる際に、環状体２ｃの下方凸部２ｃ２がネックリング１ｄの上方凸部１ｄ２を乗り越えることによって、クリック感を使用者に与えることができる。これにより、使用者がキャップ２を最後までねじ込むことが期待できるので、キャップ２が閉めきられていないことに起因する異物の入り込みの発生を抑えることができる。また、上方凸部１ｄ２と下方凸部２ｃ２とをともに環状凸部とする場合は、それぞれ内壁面２ｃ１とリング外周壁１ｄ１とに当接して２カ所でシールされることになるので、より確実に容器本体１の収納空間Ｍを密閉することができる。
【００２２】
さらに、キャップの装着完了姿勢においては、口部１ｃの頂壁１ｃ１とキャップ２の凸部２ａ１とが当接し、リブ２ｄと口部１ｃの内壁面１ｃ２とが当接している。これにより、さらにより確実に容器本体１の収納空間Ｍを密閉することができる。なお、より強く内壁面１ｃ２に当てることで密着性を高めることができるが、環状のリブ２ｄの外径をより大きくしても、リブ２ｄの先端部２ｄ１は径方向内側に向けて屈曲しているので、キャップ２のねじ込み時にリブ２ｄが邪魔になることはない。
【産業上の利用可能性】
【００２３】
本発明によれば、内容物を収納する収納空間を有する容器本体と、容器本体の口部に着脱可能にねじ止めされて容器本体内側の収納空間を閉鎖するキャップとを備えるキャップ付き容器に関し、容器本体及びキャップの製品形状のばらつきにかかわらず、容器本体内への異物の入り込みを確実に防止することができる。
【符号の説明】
【００２４】
１    容器本体
１ａ  底部付きの胴部
１ｂ  肩部
１ｃ  口部
１ｄ  ネックリング
１ｄ１  リング外周壁
１ｄ２  上方凸部
２    キャップ
２ａ  天面壁
２ｂ  周壁
２ｂ１  開口端縁
２ｃ  環状体
２ｃ１  内壁面
２ｃ２  下方凸部
２ｄ  リブ
ｎ１  ねじ係合部
ｎ２  ねじ係合部
Ｍ    収納空間
【図１】
0005705587.tif 000002